(57)【要約】【課題】管路の構成を容易に変更可能な医療用診察装置を提供する。【解決手段】吸引管路ＳＬおよび排水管路ＤＬを有するスピットンユニット２とを備える。スピットンユニット２は、吸引管路ＳＬおよび排水管路ＤＬの一部を内部に収容するマニホールドモジュール２１と、吸引管路ＳＬおよび排水管路ＤＬの他の一部を有する排水処理モジュール２２Ａとを含む。排水処理モジュール２２Ａは、吸引管路ＳＬおよび排水管路ＤＬに設けられ第１方向に開口する第１管路口２１１，２１２，２１３を有している。マニホールドモジュールは、排水処理モジュールと対向する仕切部材２１Ａを含む。仕切部材２１Ａは、第１方向と向かい合う第２方向に開口する第２管路口２０１，２０２，２０３を有している。マニホールドモジュール２１と排水処理モジュール２２Ａとは着脱可能であり、かつ、第１管路口と第２管路口とは着脱可能に設けられている。【選択図】図２
2018029896.tif 000002
【特許請求の範囲】
【請求項１】
バキュームハンドピースと、
スピットン鉢、前記バキュームハンドピースと接続されている吸引管路、および前記スピットン鉢と接続されている排水管路を有するスピットンユニットとを備え、
前記スピットンユニットは、前記吸引管路および前記排水管路の一部を内部に収容するマニホールドモジュールと、前記吸引管路および前記排水管路の他の一部を有する排水処理モジュールとを含み、
前記排水処理モジュールは、前記吸引管路および前記排水管路に設けられ第１方向に開口する第１管路口を有し、
前記マニホールドモジュールは、前記排水処理モジュールと対向する仕切部材を含み、
前記仕切部材は、前記第１方向と向かい合う第２方向に開口する第２管路口を有し、
前記マニホールドモジュールと前記排水処理モジュールとは着脱可能であり、かつ、前記第１管路口と前記第２管路口とは着脱可能に設けられている、医療用診察装置。
【請求項２】
前記排水処理モジュールは、第３方向に開口する第３管路口をさらに有し、
前記スピットンユニットは、前記排水管路のさらに他の一部を有する排水管路ユニットをさらに含み、
前記排水管路ユニットは、前記第３方向と向かい合う第４方向に開口する第４管路口を有し、
前記排水管路ユニットと前記排水処理モジュールとは着脱可能であり、かつ、前記第３管路口と前記第４管路口とは着脱可能に設けられている、請求項１に記載の医療用診察装置。
【請求項３】
前記排水処理モジュールは、第３方向に開口する第３管路口をさらに有し、
前記仕切部材は、前記第３方向と向かい合う第４方向に開口する第４管路口をさらに有し、
前記第３管路口と前記第４管路口とは着脱可能に設けられている、請求項１に記載の医療用診察装置。
【請求項４】
前記第１管路口は、前記吸引管路に設けられている第１接手と、前記吸引管路において前記第１接手よりも下流に設けられている第２接手と、前記排水管路に設けられている第３接手とを有し、
前記第２管路口は、前記吸引管路に設けられている第５接手と、前記吸引管路において前記第５接手よりも下流に設けられている第６接手と、前記排水管路に設けられている第７接手とを有し、
前記第３管路口は、前記排水管路において前記第３接手よりも下流に設けられている第４接手を有し、
前記第４管路口は、前記排水管路において前記第７接手よりも下流に設けられている第８接手を有し、
前記第１接手と前記第５接手と、前記第２接手と前記第６接手と、前記第３接手と前記第７接手と、前記第４接手と前記第８接手とが着脱可能に設けられており、
前記排水処理モジュールは、二相流入口管と、気相出口管と、液相出口管とを有する気液分離部と、一端と他端とを有する排水トラップとを有し、
前記二相流入口管が前記第１接手と接続され、前記気相出口管が前記第２接手と接続され、前記液相出口管が前記第４接手と接続されており、
前記排水トラップの前記一端が前記第３接手と接続され、前記排水トラップの前記他端が前記第４接手と接続されている、請求項２または請求項３に記載の医療用診察装置。
【請求項５】
前記第１管路口は、前記吸引管路に設けられている第１接手と、前記吸引管路において前記第１接手よりも下流に設けられている第２接手と、前記排水管路に設けられている第３接手とを有し、
前記第２管路口は、前記吸引管路に設けられている第５接手と、前記吸引管路において前記第５接手よりも下流に設けられている第６接手と、前記排水管路に設けられている第７接手とを有し、
前記第３管路口は、前記排水管路において前記第３接手よりも下流に設けられている第４接手を有し、
前記第４管路口は、前記排水管路において前記第７接手よりも下流に設けられている第８接手を有し、
前記第１接手と前記第５接手と、前記第２接手と前記第６接手と、前記第３接手と前記第７接手と、前記第４接手と前記第８接手とが着脱可能に設けられており、
前記排水処理モジュールは、一端と他端とを有する第１開閉弁と、一端と他端とを有する排水トラップとを有し、
前記第１開閉弁の前記一端が前記第１接手と接続され、前記第１開閉弁の前記他端が前記第２接手と接続されており、
前記排水トラップの前記一端が前記第３接手と接続され、前記排水トラップの前記他端が前記第４接手と接続されている、請求項２または請求項３に記載の医療用診察装置。
【請求項６】
前記第１管路口は、前記吸引管路に設けられている第１接手と、前記吸引管路において前記第１接手よりも下流に設けられている第２接手と、前記排水管路に設けられている第３接手とを有し、
前記第２管路口は、前記吸引管路に設けられている第５接手と、前記吸引管路において前記第５接手よりも下流に設けられている第６接手と、前記排水管路に設けられている第７接手とを有し、
前記第３管路口は、前記排水管路において前記第３接手よりも下流に設けられている第４接手を有し、
前記第４管路口は、前記排水管路において前記第７接手よりも下流に設けられている第８接手を有し、
前記第１接手と前記第５接手と、前記第２接手と前記第６接手と、前記第３接手と前記第７接手と、前記第４接手と前記第８接手とが着脱可能に設けられており、
前記排水処理モジュールは、第１入口管、第２入口管、第１出口管、および第２出口管を有するアマルガム分離部を有し、
前記第１入口管が前記第１接手と、前記第１出口管が前記第２接手と接続され、前記第２入口管が前記第３接手と、前記第２出口管が前記第４接手と接続されている、請求項２または請求項３に記載の医療用診察装置。
【請求項７】
前記第１管路口は、前記吸引管路に設けられている第１接手と、前記排水管路に設けられている第３接手と、前記吸引管路において前記第１接手よりも下流に設けられており、かつ前記排水管路において前記第３接手よりも下流に設けられている第２接手とを有し、
前記第２管路口は、前記吸引管路に設けられている第５接手と、前記排水管路に設けられている第７接手と、前記吸引管路において前記第５接手よりも下流に設けられており、かつ前記排水管路において前記第７接手よりも下流に設けられている第６接手とを有し、
前記第１接手と前記第５接手と、前記第２接手と前記第６接手と、前記第３接手と前記第７接手とが着脱可能に設けられており、
前記排水処理モジュールは、一端および他端を有するスピットンバルブを有し、
前記スピットンバルブの前記一端が前記第３接手と接続され、前記スピットンバルブの前記他端が前記第２接手と接続されており、
前記スピットンバルブは、前記スピットンバルブを流れる流体を貯留可能な貯留部を有し、流体が前記貯留部に所定の量以上貯留されたときに前記貯留部に貯留された流体の少なくとも一部を排出するように設けられている、請求項１に記載の医療用診察装置。
【請求項８】
前記マニホールドモジュールにおいて、前記仕切部材には、前記第２管路口の口径よりも大きい口径を有する貫通孔が少なくとも１つ形成されており、
前記第２管路口は、前記貫通孔内に挿通されている、請求項１〜請求項７のいずれか１項に記載の医療用診察装置。
【請求項９】
バキュームハンドピースを備える医療用診察装置に用いられるスピットンユニットであって、
スピットン鉢と、
前記バキュームハンドピースと接続されている吸引管路および前記スピットン鉢と接続されている排水管路の一部を内部に収容するマニホールドモジュールと、
前記吸引管路および前記排水管路の他の一部を含む排水処理モジュールとを備え、
前記排水処理モジュールは、前記吸引管路および前記排水管路に設けられ第１方向に開口する第１管路口を有し、
前記マニホールドモジュールは、前記排水処理モジュールと対向する仕切部材を含み、
前記仕切部材は、前記第１方向と向き合う第２方向に開口する第２管路口を有し、
前記マニホールドモジュールと前記排水処理モジュールとは着脱可能であり、かつ前記第１管路口と前記第２管路口とは着脱可能に設けられている、スピットンユニット。
【請求項１０】
バキュームハンドピースを備える医療用診察装置に用いられ、スピットン鉢を備えるスピットンユニットにおいて、前記バキュームハンドピースと接続されている吸引管路および前記スピットン鉢と接続されている排水管路の一部を有し、前記吸引管路および前記排水管路の他の一部を有するマニホールドモジュールと着脱可能に設けられている排水処理モジュールであって、
前記吸引管路の他の一部と成り得る第１の管路の一端および他端を構成する第１接手および第２接手と、前記排水管路の他の一部と成り得る第２の管路の一端および他端を構成する第３接手および第４接手を有し、
二相流入口管と、気相出口管と、液相出口管とを有する気液分離部と、
一端と他端とを有する排水トラップとを備え、
前記二相流入口管が前記第１接手と接続され、前記気相出口管が前記第２接手と接続され、前記液相出口管が前記第４接手と接続されており、
前記排水トラップの前記一端が前記第３接手と接続され、前記排水トラップの前記他端が前記第４接手と接続されている、排水処理モジュール。
【請求項１１】
バキュームハンドピースを備える医療用診察装置に用いられ、スピットン鉢を備えるスピットンユニットにおいて、前記バキュームハンドピースと接続されている吸引管路および前記スピットン鉢と接続されている排水管路の一部を有し、前記吸引管路および前記排水管路の他の一部を有するマニホールドモジュールと着脱可能に設けられている排水処理モジュールであって、
前記吸引管路の他の一部と成り得る第１の管路の一端および他端を構成する第１接手および第２接手と、前記排水管路の他の一部と成り得る第２の管路の一端および他端を構成する第３接手および第４接手を有し、
一端と他端とを有する第１開閉弁と、
一端と他端とを有する排水トラップとを備え、
前記第１開閉弁の前記一端が前記第１接手と接続され、前記第１開閉弁の前記他端が前記第２接手と接続されており、
前記排水トラップの前記一端が前記第３接手と接続され、前記排水トラップの前記他端が前記第４接手と接続されている、排水処理モジュール。
【請求項１２】
バキュームハンドピースを備える医療用診察装置に用いられスピットン鉢を含むスピットンユニットにおいて、前記バキュームハンドピースと接続されている吸引管路および前記スピットン鉢と接続されている排水管路の一部を有し、前記吸引管路および前記排水管路の他の一部を有するマニホールドモジュールと着脱可能に設けられている排水処理モジュールであって、
前記吸引管路の他の一部と成り得る第１の管路の一端を構成する第１接手と、前記排水管路の他の一部と成り得る第２の管路の一端を構成する第３接手と、前記第１の管路の他端および前記第２の管路の他端を構成する第２接手とを有し、
一端および他端を有するスピットンバルブを備え、
前記スピットンバルブの前記一端が前記第３接手と接続され、前記スピットンバルブの前記他端が前記第２接手と接続されており、
前記スピットンバルブは、前記スピットンバルブを流れる流体を貯留可能な貯留部を有し、流体が前記貯留部に所定の量以上貯留されたときに前記貯留部に貯留された流体の少なくとも一部を排出するように設けられている、排水処理モジュール。
【請求項１３】
スピットン鉢、バキュームハンドピースと接続されている吸引管路および前記スピットン鉢と接続されている排水管路の一部を内部に収容するマニホールドモジュールと、前記吸引管路および前記排水管路の他の一部を含む排水処理モジュールとを備えるスピットンユニットにおいて、前記排水処理モジュールに交換する方法であって、
前記排水処理モジュールは第１モジュールと第２モジュールとを含み、
前記第１モジュールおよび前記第２モジュールの各々は、第１方向に開口する第１管路口を有し、
前記マニホールドモジュールは前記第１モジュールと対向する仕切部材を含み、
前記仕切部材は前記第１方向と向かい合う第２方向に開口する第２管路口を有し、
前記マニホールドモジュールの前記第２管路口から、前記第１モジュールの前記第１管路口を取り外す工程と、
前記マニホールドモジュールの前記第２管路口に、前記第２モジュールの前記第１管路口を接続する工程とを備える、排水処理モジュールの交換方法。
【発明の詳細な説明】
【技術分野】
【０００１】
本発明は、医療用診察装置、該医療用診察装置に用いられるスピットンユニットおよび排水処理モジュール、ならびに排水処理モジュールの交換方法に関する。
【背景技術】
【０００２】
従来、内部に管路が配設された医療用診察装置が知られている。例えば、歯科や耳鼻科などの診療時に用いられる吸引具により吸引された吸引物を流通させるための吸引管路が配設された医療用診察装置が知られている。例えば、真空ポンプと、該真空ポンプの吸気作用により吸引された吸引物を流通させるための吸引管路とを備える医療用診察装置が知られている（以下、このような構成をセパレート方式の医療用診察装置という）。
【０００３】
特開２００６‐５５４２８号公報には、複数個の吸引アダプタと、各吸引アダプタと接続された１つのサクション装置とを備えるセントラルサクションシステムが開示されている。このようなセントラルサクションシステムは、１つのシステムで複数の患者に対し同時に治療を行うことができる（以下、このような構成をセントラル方式の医療用診察装置という）。
【先行技術文献】
【特許文献】
【０００４】
【特許文献１】特開２００６‐５５４２８号公報
【発明の概要】
【発明が解決しようとする課題】
【０００５】
従来のセパレート方式の医療用診察装置とセントラル方式の医療用診察装置とでは、医療用診察装置内に配設される管路の構成が異なっている。例えば、セントラル方式では、気液分離部はサクションタンクとともに医療用診察装置に少なくとも１つ設けられていればよく、診療台毎に設けられている必要はない。
【０００６】
そのため、セパレート方式の医療用診察装置をセントラル方式の医療用診察装置に変更する場合、あるいはセントラル方式の医療用診察装置をセパレート方式の医療用診察装置に変更する場合には、管路の構成を変更する必要がある。
【０００７】
しかしながら、従来のセパレート方式の医療用診察装置およびセントラル方式の医療用診察装置では、管路毎に取付手段および管路径などが異なっている。そのため、従来の医療用診察装置では、管路の構成を容易に変更できないという問題がある。
【０００８】
本発明は上記のような課題を解決するためになされたものである。本発明の主たる目的は、管路の構成を容易に変更可能な医療用診察装置を提供することにある。
【課題を解決するための手段】
【０００９】
本実施の形態に係る医療用診察装置は、バキュームハンドピースと、スピットン鉢、バキュームハンドピースと接続されている吸引管路、およびスピットン鉢と接続されている排水管路を有するスピットンユニットとを備える。スピットンユニットは、吸引管路および排水管路の一部を内部に収容するマニホールドモジュールと、吸引管路および排水管路の他の一部を有する排水処理モジュールとを含む。排水処理モジュールは、吸引管路および排水管路に設けられ第１方向に開口する第１管路口を有している。マニホールドモジュールは、排水処理モジュールと対向する仕切部材を含む。仕切部材は、第１方向と向かい合う第２方向に開口する第２管路口を有している。マニホールドモジュールと排水処理モジュールとは着脱可能であり、かつ、第１管路口と第２管路口とは着脱可能に設けられている。
【００１０】
本実施の形態に係るスピットンユニットは、バキュームハンドピースを備える医療用診察装置に用いられるスピットンユニットである。スピットンユニットは、スピットン鉢と、バキュームハンドピースと接続されている吸引管路およびスピットン鉢と接続されている排水管路の一部を内部に収容するマニホールドモジュールと、吸引管路および排水管路の他の一部を含む排水処理モジュールとを備える。排水処理モジュールは、吸引管路および排水管路に設けられ第１方向に開口する第１管路口を有している。マニホールドモジュールは、排水処理モジュールと対向する仕切部材を含む。仕切部材は、第１方向と向き合う第２方向に開口する第２管路口を有している。マニホールドモジュールと排水処理モジュールとは着脱可能であり、かつ第１管路口と第２管路口とは着脱可能に設けられている。
【００１１】
本実施の形態に係る排水処理モジュールは、バキュームハンドピースを備える医療用診察装置に用いられ、スピットン鉢を備えるスピットンユニットにおいて、バキュームハンドピースと接続されている吸引管路およびスピットン鉢と接続されている排水管路の一部を有し、吸引管路および排水管路の他の一部を有するマニホールドモジュールと着脱可能に設けられている排水処理モジュールである。排水処理モジュールは、吸引管路の他の一部と成り得る第１の管路の一端および他端を構成する第１接手および第２接手と、排水管路の他の一部と成り得る第２の管路の一端および他端を構成する第３接手および第４接手を有し、二相流入口管と、気相出口管と、液相出口管とを有する気液分離部と、一端と他端とを有する排水トラップとを備える。二相流入口管が第１接手と接続され、気相出口管が第２接手と接続され、液相出口管が第４接手と接続されている。排水トラップの一端が第３接手と接続され、排水トラップの他端が第４接手と接続されている。
【００１２】
本実施の形態に係る排水処理モジュールは、バキュームハンドピースを備える医療用診察装置に用いられ、スピットン鉢を備えるスピットンユニットにおいて、バキュームハンドピースと接続されている吸引管路およびスピットン鉢と接続されている排水管路の一部を有し、吸引管路および排水管路の他の一部を有するマニホールドモジュールと着脱可能に設けられている排水処理モジュールである。排水処理モジュールは、吸引管路の他の一部と成り得る第１の管路の一端および他端を構成する第１接手および第２接手と、排水管路の他の一部と成り得る第２の管路の一端および他端を構成する第３接手および第４接手を有し、一端と他端とを有する第１開閉弁と、一端と他端とを有する排水トラップとを備える。第１開閉弁の一端が第１接手と接続され、第１開閉弁の他端が第２接手と接続されている。排水トラップの一端が第３接手と接続され、排水トラップの他端が第４接手と接続されている。
【００１３】
本実施の形態に係る排水処理モジュールは、バキュームハンドピースを備える医療用診察装置に用いられスピットン鉢を含むスピットンユニットにおいて、バキュームハンドピースと接続されている吸引管路およびスピットン鉢と接続されている排水管路の一部を有し、吸引管路および排水管路の他の一部を有するマニホールドモジュールと着脱可能に設けられている排水処理モジュールである。排水処理モジュールは、吸引管路の他の一部と成り得る第１の管路の一端を構成する第１接手と、排水管路の他の一部と成り得る第２の管路の一端を構成する第３接手と、第１の管路の他端および第２の管路の他端を構成する第２接手とを有し、一端および他端を有するスピットンバルブを備える。スピットンバルブの一端が第３接手と接続され、スピットンバルブの他端が第２接手と接続されている。スピットンバルブは、スピットンバルブを流れる流体を貯留可能な貯留部を有し、流体が貯留部に所定の量以上貯留されたときに貯留部に貯留された流体の少なくとも一部を排出するように設けられている。
【００１４】
本実施の形態に係る排水処理モジュールの交換方法は、スピットン鉢、バキュームハンドピースと接続されている吸引管路およびスピットン鉢と接続されている排水管路の一部を内部に収容するマニホールドモジュールと、吸引管路および排水管路の他の一部を含む排水処理モジュールとを備えるスピットンユニットにおいて、排水処理モジュールに交換する方法である。排水処理モジュールは第１モジュールと第２モジュールとを含む。第１モジュールおよび第２モジュールの各々は、第１方向に開口する第１管路口を有している。マニホールドモジュールは第１モジュールと対向する仕切部材を含む。仕切部材は第１方向と向かい合う第２方向に開口する第２管路口を有している。排水処理モジュールの交換方法は、マニホールドモジュールの第２管路口から、第１モジュールの第１管路口を取り外す工程と、マニホールドモジュールの第２管路口に、第２モジュールの第１管路口を接続する工程とを備える。
【発明の効果】
【００１５】
本発明によれば、管路の構成を容易に変更可能な医療用診察装置を提供することができる。
【図面の簡単な説明】
【００１６】
【図１】本実施の形態に係る医療用診察装置を説明するための概略図である。
【図２】本実施の形態に係る医療用診察装置の排水管路および吸引管路を説明するための管路図である。
【図３】本実施の形態に係る医療用診察装置のスピットンユニットの構成例の外観を示す斜視図である。
【図４】図３に示されるスピットンユニットの扉が開かれた状態を示す斜視図である。
【図５】図３に示されるスピットンユニットの扉が取り外された状態を示す斜視図である。
【図６】図５に示されるスピットンユニットのカバーが取り外された状態であって、マニホールドモジュールと排水処理モジュールとが接続されている状態を示す斜視図である。
【図７】図６に示されるスピットンユニットのマニホールドモジュールから排水処理モジュールが取り外された状態を示す斜視図である。
【図８】図６に示される排水処理モジュールの構成例を示す斜視図である。
【図９】図８に示される排水処理モジュールを図８とは異なる方向から視たときの斜視図である。
【図１０】本実施の形態に係る医療用診察装置の排水処理モジュールの他の構成例を示す斜視図である。
【図１１】図１０に示される排水処理モジュールを図１０とは異なる方向から視たときの斜視図である。
【図１２】図７に示されるマニホールドモジュールに図１０および図１１に示される排水処理モジュールが取り付けられた状態を示す斜視図である。
【図１３】本実施の形態に係る医療用診察装置の排水処理モジュールのさらに他の構成例を示す斜視図である。
【図１４】図１３に示される排水処理モジュールを図１３とは異なる方向から視たときの斜視図である。
【図１５】図７に示されるマニホールドモジュールに図１３および図１４に示される排水処理モジュールが取り付けられた状態を示す斜視図である。
【図１６】本実施の形態に係る医療用診察装置の排水処理モジュールのさらに他の構成例を示す斜視図である。
【図１７】図１６に示される排水処理モジュールを図１６とは異なる方向から視たときの斜視図である。
【図１８】図７に示されるマニホールドモジュールに図１６および図１７に示される排水処理モジュールが取り付けられた状態を示す斜視図である。
【図１９】本実施の形態に係る医療用診察装置のスピットンユニットにおける、排水処理モジュールの交換方法を示すフローチャートである。
【図２０】本実施の形態に係る医療用診察装置のスピットンユニットの変形例を示す斜視図である。
【発明を実施するための形態】
【００１７】
以下、図面を参照して、本発明の実施の形態について説明する。なお、以下の図面において同一または相当する部分には同一の参照番号を付しその説明は繰返さない。
【００１８】
［医療用診察装置の基本構成］
図１および図２を参照して、医療用診察装置１００の基本構成を説明する。医療用診察装置１００は、診療用椅子１と、スピットンユニット２と、診療器具４とを主に備える。
【００１９】
診療用椅子１は、医師から診療を受ける際に患者が座る椅子である。診療用椅子１は、患者の頭を支えるヘッドレスト１ａと、患者の背中を支える背もたれ１ｂと、患者の尾尻を支える座面シート１ｃと、患者の足を支える足置き台１ｄとを含む。
【００２０】
スピットンユニット２は、診療用椅子１の側部に備え付けられており、排水口が形成されたスピットン鉢２ａと、コップが載置されるコップ台２ｂと、コップに給水するための給水栓２ｃとを含む。スピットンユニット２は、給水栓２ｃからコップに給水された水を用いて患者がうがいをするための台である。
【００２１】
診療器具４は、たとえば、バキュームシリンジ４ａとサラエバエジェクター（排唾管）４ｂとを含む。診療器具４は、例えば他の診療器具４ｃ〜４ｅを含んでいてもよく、エアータ−ビンハンドピース、マイクロモータハンドピースなどのハンドピース、あるいは、スケーラ、スリーウェイシリンジなど、診療に用いるインスツルメントの内から任意に選択され得る。バキュームシリンジ４ａ、サラエバエジェクター４ｂ、あるいは他の診療器具は、図１に示されるように、トレーテーブル３に配設されていてもよいし、診療用椅子１の背もたれ１ｂに配設されていてもよいし、スピットンユニット２に配設されていてもよい。
【００２２】
図２に示されるように、スピットンユニット２は、例えば吸引管路ＳＬと排水管路ＤＬとを有している。吸引管路ＳＬは、一端がバキュームシリンジ４ａおよびサラエバエジェクター４ｂに接続されており他端が医療用診察装置１００の外部に設けられている外部吸引管路（図示しない）に接続されている。外部吸引管路には、例えば吸引装置（バキュームモータ）が設けられている。排水管路ＤＬは、一端がスピットン鉢２ａの排水口に接続されている。排水管路ＤＬは、例えば他端が医療用診察装置１００の外部に設けられている外部排水管路（図示しない）に接続されているか、あるいは吸引管路ＳＬに接続されている。外部排水管には、例えば排水タンクが設けられている。
【００２３】
スピットンユニット２は、少なくとも、吸引管路ＳＬおよび排水管路ＤＬの各々の一部を内部に収容するマニホールドモジュール２１と、吸引管路ＳＬおよび排水管路ＤＬの各々の他の一部を有する排水処理モジュール２２Ａ，２２Ｂ，２２Ｃ，２２Ｄのいずれか１つとを含む。
【００２４】
本願において、マニホールドモジュール（ｍａｎｉｆｏｌｄ  ｍｏｄｕｌｅ）とは、複数の流体管路を備え、且つ、それら管路の出入り口を、その相対位置関係を固定して配設した構造体を意味する。一般的に、マニホールドという語は、一つの入り口に対して複数の出口、あるいは逆に、複数の入り口に対して一つの出口を意味することがある。しかし、本願においては、そのような入り口と出口の数の関係に限らず、マニホールドモジュールという語句を一種の造語として用いる。
【００２５】
マニホールドモジュール２１と排水処理モジュール２２Ａ〜２２Ｄとは、着脱可能に設けられている。マニホールドモジュール２１と排水処理モジュール２２Ａ〜２２Ｄとの着脱は、各モジュールに設けられている複数の接手同士が着脱されることにより実現される。
【００２６】
排水処理モジュール２２Ａ〜２２Ｄは、第１接手２１１、第２接手２１２、および第３接手２１３を有している。マニホールドモジュール２１は、第５接手２０１、第６接手２０２、および第７接手２０３を有している。第１接手２１１と第５接手２０１、第２接手２１２と第６接手２０２、および第３接手２１３と第７接手２０３が着脱可能に設けられている。
【００２７】
マニホールドモジュール２１は、排水処理モジュール２２Ａ〜２２Ｄのいずれかと接続されている状態において当該排水処理モジュール２２Ａ〜２２Ｄと対向する仕切部材２１Ａを含む。仕切部材２１Ａは、第５接手２０１、第６接手２０２、および第７接手２０３を有している。仕切部材２１Ａは例えば平板状に設けられている。第５接手２０１、第６接手２０２、および第７接手２０３の各々は、一方向（第２方向）に開口している第２開口部として構成されている。第２方向は、例えば仕切部材２１Ａの表面と交差する方向（該表面との成す角度が０度超え１８０度未満である方向）であり、例えば該表面に垂直な方向（略９０度の方向）である。
【００２８】
排水処理モジュール２２Ａ〜２２Ｄの各々の第１接手２１１、第２接手２１２、および第３接手２１３は、一方向（第１方向）に開口している第１開口部として構成されている。第１方向と第２方向とは、互いに向かい合う方向である。排水処理モジュール２２Ａ〜２２Ｄの各第１接手２１１は同一の構成を有している。同様に、排水処理モジュール２２Ａ〜２２Ｄの各第２接手２１２は同一の構成を有しており、排水処理モジュール２２Ａ〜２２Ｄの各第３接手２１３は同一の構成を有している。さらに、排水処理モジュール２２Ａにおける第１接手２１１、第２接手２１２、および第３接手２１３の相対的な位置関係は、排水処理モジュール２２Ｂにおける第１接手２１１、第２接手２１２、および第３接手２１３の相対的な位置関係、排水処理モジュール２２Ｃにおける第１接手２１１、第２接手２１２、および第３接手２１３の相対的な位置関係、ならびに排水処理モジュール２２Ｄにおける第１接手２１１、第２接手２１２、および第３接手２１３の相対的な位置関係と等しくなるよう構成されている。好ましくは、排水処理モジュール２２Ａ〜２２Ｄの各々の第１接手２１１、第２接手２１２、および第３接手２１３と、マニホールドモジュール２１の第５接手２０１、第６接手２０２、および第７接手２０３とは、互いに容易に着脱可能に設けられている。このような構成により、排水処理モジュール２２Ａ〜２２Ｄはいずれも、マニホールドモジュール２１に対して着脱可能である。
【００２９】
排水処理モジュール２２Ａ〜２２Ｄの各々は、その内部に配設された管路の構成が異なっている。例えば、排水処理モジュール２２Ａはセパレート方式の管路構成を有しており、排水処理モジュール２２Ｂ〜２２Ｄがセントラル方式の管路構成を有している。排水処理モジュール２２Ａ〜２２Ｄの各々は、スピットンユニット２によって実現されるべき排水管路ＤＬおよび吸引管路ＳＬの複数の構成のうち、共通化され得ない部材を有している。マニホールドモジュール２１は、スピットンユニット２によって実現されるべき排水管路ＤＬおよび吸引管路ＳＬの複数の構成のうち、共通化され得る部材を有している。排水管路ユニット２３は、スピットンユニット２によって実現されるべき排水管路ＤＬの複数の構成のうち、共通化され得る部材を有している。異なる観点から言えば、スピットンユニット２は、マニホールドモジュール２１および排水管路ユニット２３に排水処理モジュール２２Ａ〜２２Ｄのいずれを取り付けるかによって、その内部の排水管路ＤＬおよび吸引管路ＳＬの構成が変更可能に設けられている。マニホールドモジュール２１は、例えば、吸引管路ＳＬにおいて排水処理モジュール２２Ａ〜２２Ｄが有する部分よりも上流側および下流側に位置する部分と、排水管路ＤＬにおいて排水処理モジュール２２Ａ〜２２Ｄが有する部分よりも上流側に位置する部分とを有している。
【００３０】
以上のように、医療用診察装置１００は、スピットンユニット２が吸引管路ＳＬおよび排水管路ＤＬの一部を内部に収容するマニホールドモジュール２１と、吸引管路ＳＬおよび排水管路ＤＬの他の一部を有する排水処理モジュール２２Ａを含む。排水処理モジュール２２Ａは、吸引管路ＳＬまたは排水管路ＤＬに設けられた第１方向に開口する第１接手２１１、第２接手２１２、および第３接手２１３を有する。マニホールドモジュール２１は、排水処理モジュール２２Ａと対向する仕切部材２１Ａを含む。仕切部材２１Ａは、第１方向と向かい合う第２方向に開口する第５接手２０１、第６接手２０２、および第７接手２０３を有する。マニホールドモジュール２１と排水処理モジュール２２Ａとは着脱可能である。第１接手２１１と第５接手２０１、第２接手２１２と第６接手２０２、および第３接手２１３と第７接手２０３が着脱可能に設けられている。
【００３１】
そのため、医療用診察装置１００は、管路構成を変更する際に着脱すべき箇所のうち少なくとも第１接手２１１と第５接手２０１、第２接手２１２と第６接手２０２、および第３接手２１３と第７接手２０３との各接続箇所が仕切部材２１Ａ上に設けられているため、管路構成を変更する際に着脱すべき箇所が管路毎に異なる場所に設けられていた従来の医療用診察装置と比べて、マニホールドモジュール２１と排水処理モジュール２２Ａとが容易に着脱され得る。そのため、医療用診察装置１００によれば、従来の医療用診察装置と比べて、排水処理モジュール２２Ａと、排水処理モジュール２２Ａと異なる管路構成を有する他の排水処理モジュールとを、容易に交換することができ、管路の構成を容易に変更可能である。
【００３２】
さらに、排水処理モジュール２２Ａと異なる管路構成を有する他の排水処理モジュール２２Ｂ〜２２Ｄも、排水処理モジュール２２Ａと同様に、第１方向に開口する第１接手２１１、第２接手２１２、および第３接手２１３を有していれば、排水処理モジュール２２Ａ〜２２Ｄはより容易に交換され得る。そのため、医療用診察装置１００は、管路の構成をより容易に変更可能である。
［スピットンユニットの構成例］
次に、図２〜図１８を参照して、スピットンユニット２の具体的な構成例を説明する。
【００３３】
スピットンユニット２は、上方にスピットン鉢２ａと、コップが載置されるコップ台２ｂと、コップに給水するための給水栓２ｃとが設けられている。図３および図４に示されるように、スピットンユニット２は、スピットン鉢２ａよりも下方に、扉２ｄおよびカバー２ｅにより覆われている空間（以下、単に内部空間という）を有しており、当該内部空間内に吸引管路ＳＬおよび排水管路ＤＬを有している。すなわち、スピットンユニット２は、当該内部空間内にマニホールドモジュール２１と、マニホールドモジュール２１と接続されている排水処理モジュール２２Ａ〜２２Ｄのいずれかとを有している。
【００３４】
図６および図７に示されるように、マニホールドモジュール２１は、上記内部空間のうち、排水処理モジュール２２Ａ〜２２Ｄのいずれかよりも扉２ｄから離れた位置に配置されている。仕切部材２１Ａは、上記内部空間のうち、扉２ｄが開かれた状態において外部からアクセス可能な空間と、アクセスが制限された空間とを仕切っている。仕切部材２１Ａは、当該アクセス可能な空間側に第５接手２０１、第６接手２０２、および第７接手２０３を有している。仕切部材２１Ａによりアクセスが制限された空間は、マニホールドモジュール２１内の空間であり、例えばケース２１Ｂに囲まれた空間である。仕切部材２１Ａは、例えばケース２１Ｂの一部として構成されている。
【００３５】
図２に示されるように、マニホールドモジュール２１は、ケース２１Ｂに囲まれた空間内に、吸引管路ＳＬおよび排水管路ＤＬの一部として、スイッチングバルブ２４、および管路１０１，１０２，１０３，１０４，１０５を有している。スイッチングバルブ２４および管路１０１，１０２，１０３，１０４は、吸引管路ＳＬの一部を構成している。管路１０５は、排水管路ＤＬの一部を構成している。
【００３６】
スイッチングバルブ２４は、第１口、第２口および第３口を有する。スイッチングバルブ２４は、第１口と第３口とが接続されている状態と、第２口と第３口とが接続されている状態とを切替可能に設けられている。
【００３７】
管路１０１は、一端がバキュームシリンジ４ａに接続されており、他端がスイッチングバルブ２４の第１口に接続されている。管路１０２は、一端がサラエバエジェクター４ｂと接続されており、他端がスイッチングバルブ２４の第２口と接続されている。管路１０３は、一端がスイッチングバルブ２４の第３口と接続されており、他端が第５接手２０１と接続されている。管路１０４は、一端が第６接手２０２と接続されており、他端が医療用診察装置１００の外部に設けられている外部吸引管路と接続されている。管路１０５は、一端がスピットン鉢２ａの排水口に接続されており、他端が第７接手２０３に接続されている。
【００３８】
スピットンユニット２は、排水処理モジュール２２Ａ〜２２Ｄの各管路を構成する部材に対し電力を供給するための電源線（図示しない）および各部材と例えば制御装置との間で信号を送受信するための信号線（図示しない）をさらに有している。マニホールドモジュール２１は、上記電源線および上記信号線の各々の一部を内部に収容している。排水処理モジュール２２Ａ〜２２Ｄは、上記電源線および上記信号線の各々の他の一部を内部に収容している。マニホールドモジュール２１は、例えば上記電源線および上記信号線と接続されている第１コネクタ（図示しない）および第２コネクタ（図示しない）とを有している。第１コネクタおよび第２コネクタは、複数の端子を有している。第１コネクタの各端子は、例えば後述する排水処理モジュール２２Ａ〜２２Ｃのシャットオフバルブ２６，２８，３０に対して電力を供給するための第１電源線（図示しない）、排水処理モジュール２２Ａの気液分離部２５内に設けられた水位センサと接続された第１信号線（図示しない）、排水処理モジュール２２Ｄのアマルガム分離部３２内に設けられたアマルガム量検出センサと接続された第２信号線（図示しない）と接続されている。第２コネクタの各端子は、例えば後述する排水処理モジュール２２Ｄのアマルガム分離部３２に対して電力を供給するための第２電源線（図示しない）と接続されている。
【００３９】
スピットンユニット２は、排水管路ＤＬのさらに他の一部を有する排水管路ユニット２３をさらに含んでいる。排水管路ユニット２３は、例えば、排水管路ＤＬにおいて排水処理モジュール２２Ａ，２２Ｂ，２２Ｄが有する部分よりも下流側に位置する部分を有している。排水管路ユニット２３は、一方向（第４方向）に開口する第４開口部としての第８接手２０４を有している。第４接手２１４と第８接手２０４とは、着脱可能に設けられている。
【００４０】
排水管路ユニット２３は、上記内部空間のうち、排水処理モジュール２２Ａ〜２２Ｄのいずれかよりも下方に、第８接手２０４が上方に向くように配置されている。この場合、第４方向は下方から上方へ向かう方向である。
【００４１】
排水管路ユニット２３は、管路１０６を有している。管路１０６は、排水管路ＤＬの一部を構成している。管路１０６は、一端が第８接手２０４と接続されており、他端が医療用診察装置１００の外部に設けられている外部吸引管路と接続されている。排水管路ユニット２３は、第８接手２０４および管路１０６を有している限りにおいて、任意の構成を有していればよい。なお、図６，７，１２，１５，１８では、排水管路ユニット２３は第８接手２０４を有する一部のみが示されており、排水管路ユニット２３の全体の図示は省略している。
【００４２】
上述したマニホールドモジュール２１と排水管路ユニット２３とは、スピットンユニット２の管路構成を変更する際に交換される必要のない部材である。以下において、スピットンユニット２の管路構成を変更する際に交換される部材である、排水処理モジュール２２Ａ〜２２Ｄの構成例について説明する。
【００４３】
図２に示されるように、排水処理モジュール２２Ａは例えばセパレート方式の管路構成を有している。排水処理モジュール２２Ｂ〜２２Ｄは例えばセントラル方式の管路構成を有している。排水処理モジュール２２Ａ，２２Ｂ，２２Ｄの各々は、第１接手２１１、第２接手２１２、および第３接手２１３に加え、排水管路ＤＬに設けられた第４接手２１４を有している。第４接手２１４は、一方向（第３方向）に開口する第３管路口として構成されている。第３方向と第４方向とは、互いに向かい合う方向である。第３方向は、第１方向と交差する方向である。第４方向は、第２方向と交差する方向である。なお、第３方向は、第１方向に平行な方向であってもよい。第４方向は、第２方向に平行な方向であってもよい。例えば、第１方向および第２方向は水平方向であり、第３方向および第４方向は鉛直方向である。
【００４４】
排水処理モジュール２２Ａ〜２２Ｄの第１接手２１１および第２接手２１２は、吸引管路ＳＬに設けられている。排水処理モジュール２２Ａ〜２２Ｄの第３接手２１３は、排水管路ＤＬに設けられている。排水処理モジュール２２Ａ，２２Ｂ，２２Ｄの第４接手２１４は、排水管路ＤＬに設けられている。マニホールドモジュール２１の第５接手２０１および第６接手２０２は、吸引管路ＳＬに設けられている。マニホールドモジュール２１の第７接手２０３は、排水管路ＤＬに設けられている。排水管路ユニット２３の第８接手２０４は、排水管路ＤＬに設けられている。
【００４５】
図２、図６、図８および図９に示されるように、排水処理モジュール２２Ａは、気液分離部２５、シャットオフバルブ２６、排水トラップ２７、および管路１０７，１０８，１０９，１１０，１１１，１１２を有している。気液分離部２５、シャットオフバルブ２６、および管路１０７，１０８，１０９は、吸引管路ＳＬの一部を構成している。排水トラップ２７、および管路１１０，１１１，１１２は、排水管路ＤＬの一部を構成している。
【００４６】
気液分離部２５は、二相流入口管、気相出口管、および液相出口管を有し、二相流入口管から流入した二相流を気相流と液相流に分離可能に設けられている。シャットオフバルブ２６は、一端および他端を有し、一端および他端と接続される吸引管路ＳＬを開閉制御可能に設けられている。排水トラップ２７は、一端および他端を有し、一端および他端と接続される排水管路ＤＬを内部に貯留された排水で水封可能に設けられている。管路１０７は、一端が第１接手２１１と接続されており、他端が気液分離部２５の二相流入口管と接続されている。管路１０８は、一端が気液分離部２５の気相出口管と接続されており、他端がシャットオフバルブ２６の一端と接続されている。管路１０９は、一端がシャットオフバルブ２６の他端と接続されており、他端が第２接手２１２と接続されている。管路１１０は、一端が第３接手２１３と接続されており、他端が排水トラップ２７の一端と接続されている。管路１１１は、一端が排水トラップ２７の他端と接続されており、他端が第４接手２１４と接続されている。管路１１２は、一端が気液分離部２５の液相出口管と接続されており、他端が管路１１１（第４接手２１４）と接続されている。管路１１２は例えば管路１１１の分岐管として構成されている。
【００４７】
排水処理モジュール２２Ａの第１接手２１１は、マニホールドモジュール２１の第５接手２０１と着脱可能に設けられている。排水処理モジュール２２Ａの第２接手２１２は、マニホールドモジュール２１の第６接手２０２と着脱可能に設けられている。排水処理モジュール２２Ａの第３接手２１３は、マニホールドモジュール２１の第７接手２０３と着脱可能に設けられている。排水処理モジュール２２Ａの第４接手２１４は、排水管路ユニット２３の第８接手２０４と着脱可能に設けられている。
【００４８】
排水処理モジュール２２Ａの第１接手２１１、第２接手２１２、第３接手２１３および第４接手２１４がマニホールドモジュール２１の第５接手２０１、第６接手２０２、第７接手２０３、および排水管路ユニット２３の第８接手２０４に接続されたスピットンユニット２は、管路１０１または管路１０２、スイッチングバルブ２４、管路１０３、管路１０７、気液分離部２５、管路１０８、シャットオフバルブ２６、管路１０９、および管路１０４が順に接続された吸引管路ＳＬを有している。さらに、該スピットンユニット２は、スピットン鉢２ａ、管路１０５、管路１１０、排水トラップ２７、管路１１１、および管路１０６が順に接続された排水管路ＤＬを有している。さらに、該スピットンユニット２は、管路１１２、管路１１１および管路１０６が順に接続された排水管路ＤＬを有している。
【００４９】
図８および図９に示されるように、排水処理モジュール２２Ａは、マニホールドモジュール２１の仕切部材２１Ａと着脱可能に設けられている固定部４０，４１をさらに有している。固定部４０，４１は、例えばねじによって仕切部材２１Ａに対して着脱可能に設けられている。固定部４０には、例えば気液分離部２５が固定されている。固定部４０，４１は、仕切部材２１Ａに固定されたときに、仕切部材２１Ａに対して排水処理モジュール２２Ａを支持可能に設けられている。
【００５０】
排水処理モジュール２２Ａは、マニホールドモジュール２１の第１コネクタと着脱可能に設けられた第３コネクタ（図示しない）を有している。第３コネクタは、シャットオフバルブ２６に対し電力を供給するための第１電源線と接続されている端子と、気液分離部２５内に設けられた水位センサと接続された第１信号線と接続されている端子とを有している。
【００５１】
図２、図１０、図１１および図１２に示されるように、排水処理モジュール２２Ｂは、シャットオフバルブ２８、排水トラップ２９、および管路１１３，１１４，１１５，１１６を有している。シャットオフバルブ２８および管路１１３，１１４は、吸引管路ＳＬの一部を構成している。排水トラップ２９および管路１１５，１１６は、排水管路ＤＬの一部を構成している。
【００５２】
シャットオフバルブ２８は、一端および他端を有し、一端および他端と接続される吸引管路ＳＬを開閉制御可能に設けられている。排水トラップ２７は、一端および他端を有し、一端および他端と接続される排水管路ＤＬを内部に貯留された排水で水封可能に設けられている。管路１１３は、一端が第１接手２１１と接続されており、他端がシャットオフバルブ２８の一端と接続されている。管路１１４は、一端がシャットオフバルブ２８の他端と接続されており、他端が第２接手２１２と接続されている。管路１１５は、一端が第３接手２１３と接続されており、他端が排水トラップ２９の一端と接続されている。管路１１６は、一端が排水トラップ２９の他端と接続されており、他端が第４接手２１４と接続されている。
【００５３】
排水処理モジュール２２Ｂの第１接手２１１は、マニホールドモジュール２１の第５接手２０１と着脱可能に設けられている。排水処理モジュール２２Ｂの第２接手２１２は、マニホールドモジュール２１の第６接手２０２と着脱可能に設けられている。排水処理モジュール２２Ｂの第３接手２１３は、マニホールドモジュール２１の第７接手２０３と着脱可能に設けられている。排水処理モジュール２２Ｂの第４接手２１４は、排水管路ユニット２３の第８接手２０４と着脱可能に設けられている。
【００５４】
排水処理モジュール２２Ｂの第１接手２１１、第２接手２１２、第３接手２１３および第４接手２１４がマニホールドモジュール２１の第５接手２０１、第６接手２０２、第７接手２０３、および排水管路ユニット２３の第８接手２０４に接続されたスピットンユニット２は、管路１０１または管路１０２、スイッチングバルブ２４、管路１０３、管路１１３、シャットオフバルブ２８、管路１１４、および管路１０４が順に接続された吸引管路ＳＬを有している。さらに、該スピットンユニット２は、スピットン鉢２ａ、管路１０５、管路１１５、排水トラップ２９、管路１１６、および管路１０６が順に接続された排水管路ＤＬを有している。
【００５５】
図１０および図１１に示されるように、排水処理モジュール２２Ｂは、マニホールドモジュール２１の仕切部材２１Ａと着脱可能に設けられている固定部４２をさらに有している。固定部４２は、例えばねじによって仕切部材２１Ａに対して着脱可能に設けられている。固定部４２には、例えばシャットオフバルブ２８および排水トラップ２９が固定されている。固定部４２は、仕切部材２１Ａに固定されたときに、仕切部材２１Ａに対して排水処理モジュール２２Ｂを支持可能に設けられている。
【００５６】
排水処理モジュール２２Ｂは、マニホールドモジュール２１の第１コネクタと着脱可能に設けられた第４コネクタ（図示しない）を有している。第４コネクタは、シャットオフバルブ２８に対し電力を供給するための第１電源線（図示しない）と接続されている端子を有している。第４コネクタは、例えば第１コネクタの上記第１信号線と接続されている端子をショートさせるように構成されている。
【００５７】
図２、図１３、図１４および図１５に示されるように、排水処理モジュール２２Ｃは、シャットオフバルブ３０、スピットンバルブ３１、および管路１１７，１１８，１１９，１２０を有している。シャットオフバルブ３０および管路１１７，１１８は、吸引管路ＳＬの一部を構成している。スピットンバルブ３１および管路１１９，１２０は、排水管路ＤＬの一部を構成している。
【００５８】
シャットオフバルブ３０は、一端および他端を有し、一端および他端と接続される吸引管路ＳＬを開閉制御可能に設けられている。スピットンバルブ３１は、流入口および流出口と、流入口から流出口へ流れる流体を貯留可能な貯留部（図示しない）を有している。スピットンバルブ３１は、流体が貯留部に所定の量以上貯留されたときに、貯留部に貯留された流体の少なくとも一部を排出するように設けられている。
【００５９】
管路１１７は、一端が第１接手２１１と接続されており、他端がシャットオフバルブ３０の一端と接続されている。管路１１８は、一端がシャットオフバルブ２８の他端と接続されており、他端が第２接手２１２と接続されている。管路１１９は、一端が第３接手２１３と接続されており、他端がスピットンバルブ３１の流入口と接続されている。管路１２０は、一端がスピットンバルブ３１の流出口と接続されており、他端が管路１１８（第２接手２１２）と接続されている。
【００６０】
つまり、排水処理モジュール２２Ｃは、排水管路ＤＬが、バキュームモータを有する外部吸引管路に接続されている吸引管路ＳＬに合流する管路構成を有している。スピットンバルブ３１は、排水管路ＤＬから流入した排水が貯留部に所定の量以上貯留されたときに、貯留部に貯留された排水の少なくとも一部を吸引管路ＳＬに排出するように設けられている。
【００６１】
排水処理モジュール２２Ｃの第１接手２１１、第２接手２１２、および第３接手２１３がマニホールドモジュール２１の第５接手２０１、第６接手２０２、および第７接手２０３に接続されたスピットンユニット２は、管路１０１または管路１０２、スイッチングバルブ２４、管路１０３、管路１１７、シャットオフバルブ３０、管路１１８、および管路１０４が順に接続された吸引管路ＳＬを有している。さらに、該スピットンユニット２は、スピットン鉢２ａ、管路１０５、管路１１９、スピットンバルブ３１、および管路１２０が順に接続され、吸引管路ＳＬの管路１１８に接続された排水管路ＤＬを有している。
【００６２】
なお、マニホールドモジュール２１と排水処理モジュール２２Ｃとが接続されている場合、排水管路ユニット２３の第８接手２０４は、排水処理モジュール２２Ｃのいずれの接手とも接続されていない。このとき、第８接手２０４は、蓋（図示しない）により封止されていてもよいし、封止されていなくてもよい。
【００６３】
図１３および図１４に示されるように、排水処理モジュール２２Ｃは、マニホールドモジュール２１の仕切部材２１Ａと着脱可能に設けられている固定部４３をさらに有している。固定部４３は、例えばねじによって仕切部材２１Ａに対して着脱可能に設けられている。固定部４３には、例えばシャットオフバルブ３０およびスピットンバルブ３１が固定されている。固定部４３は、仕切部材２１Ａに固定されたときに、仕切部材２１Ａに対して排水処理モジュール２２Ｃを支持可能に設けられている。
【００６４】
排水処理モジュール２２Ｃは、マニホールドモジュール２１の第１コネクタと着脱可能に設けられた第５コネクタ（図示しない）と、第２コネクタと着脱可能に設けられた第６コネクタ（図示しない）とを有している。第５コネクタは、シャットオフバルブ３０に対し電力を供給するための第１電源線と接続されている端子を有している。該第５コネクタは、マニホールドモジュール２１の第１コネクタと着脱可能に設けられている。第５コネクタは、例えば第１コネクタの上記第１信号線と接続されている端子をショートさせるように構成されている。第６コネクタは、スピットンバルブ３１に対し電力を供給するための第２電源線と接続されている端子を有している。
【００６５】
図２、図１６、図１７および図１８に示されるように、排水処理モジュール２２Ｄは、アマルガム分離部３２、および管路１２１，１２２，１２３，１２４を有している。アマルガム分離部３２および管路１２１，１２２は吸引管路ＳＬの一部を構成している。アマルガム分離部３２および管路１２３，１２４は排水管路ＤＬの一部を構成している。
【００６６】
アマルガム分離部３２は、第１および第２流入口と、第１および第２流出口とを有している。アマルガム分離部３２は、第１および第２流入口から流入した流体からアマルガムを分離除去し、アマルガムが除去された流体を第１および第２流出口から排出可能に設けられている。
【００６７】
管路１２１は、一端が第１接手２１１と接続されており、他端がアマルガム分離部３２の第１流入口と接続されている。管路１２２は、一端がアマルガム分離部３２の第１流出口と接続されており、他端が第２接手２１２と接続されている。管路１２３は、一端が第３接手２１３と接続されており、他端がアマルガム分離部３２の第２流入口と接続されている。管路１２４は、一端がアマルガム分離部３２の第２流出口と接続されており、他端が第４接手２１４と接続されている。
【００６８】
排水処理モジュール２２Ｄの第１接手２１１、第２接手２１２、第３接手２１３および第４接手２１４がマニホールドモジュール２１の第５接手２０１、第６接手２０２、第７接手２０３、および排水管路ユニット２３の第８接手２０４に接続されたスピットンユニット２は、管路１０１または管路１０２、スイッチングバルブ２４、管路１０３、管路１２１、アマルガム分離部３２、管路１２２、および管路１０４が順に接続された吸引管路ＳＬを有している。さらに、該スピットンユニット２は、スピットン鉢２ａ、管路１０５、管路１２３、アマルガム分離部３２、管路１２４、および管路１０６が順に接続された排水管路ＤＬを有している。
【００６９】
図１６および図１７に示されるように、排水処理モジュール２２Ｄは、マニホールドモジュール２１の仕切部材２１Ａと着脱可能に設けられている固定部４４をさらに有している。固定部４４は、例えばねじによって仕切部材２１Ａに対して着脱可能に設けられている。固定部４４には、アマルガム分離部３２が固定されている。固定部４４は、仕切部材２１Ａに固定されたときに、仕切部材２１Ａに対して排水処理モジュール２２Ｄを支持可能に設けられている。
【００７０】
排水処理モジュール２２Ｄは、マニホールドモジュール２１の第１コネクタと着脱可能に設けられた第７コネクタ（図示しない）と、第２コネクタと着脱可能に設けられた第８コネクタ（図示しない）とを有している。第７コネクタは、排水処理モジュール２２Ｄのアマルガム分離部３２内に設けられたアマルガム量検出センサと接続された第２信号線と接続されている端子を有している。第７コネクタは、例えば第１コネクタの上記第１信号線と接続されている端子をショートさせるように構成されている。第８コネクタは、アマルガム分離部３２に対して電力を供給するための第２電源線と接続されている端子を有している。
【００７１】
第１接手２１１、第２接手２１２、第３接手２１３、および第４接手２１４と、第５接手２０１、第６接手２０２、第７接手２０３、および第８接手２０４とは、互いに水密的または気密的に接続され得る限りにおいて任意の構成を有していればよいが、例えばＯリングを介して水密的または気密的に接続可能な構成を有している。
【００７２】
医療用診察装置１００は、上記のような排水処理モジュール２２Ａがマニホールドモジュール２１および排水管路ユニット２３に接続されることにより、セパレート方式の医療用診察装置となり得る。また、医療用診察装置１００は、上記のような排水処理モジュール２２Ｂ〜２２Ｄのいずれかがマニホールドモジュール２１および排水管路ユニット２３に接続されることにより、セントラル方式の医療用診察装置となり得る。排水処理モジュール２２Ａ〜２２Ｄの各々は、いずれも第１方向に開口し、かつ同一の構成を有する第１接手２１１、第２接手２１２、および第３接手２１３を有するため、第２方向に開口する第５接手２０１、第６接手２０２、および第７接手２０３を有するマニホールドモジュール２１と容易に着脱され得る。また、排水処理モジュール２２Ａ，２２Ｂ，２２Ｄの各々は、第３方向に開口し、かつ同一の構成を有する第４接手２１４を有しているため、第４方向に開口する第８接手２０４を有する排水管路ユニット２３と容易に着脱され得る。
【００７３】
好ましくは、排水処理モジュール２２Ａ〜２２Ｄの各々は、第１接手２１１、第２接手２１２、第３接手２１３、および第４接手２１４の相対的な位置関係が等しくなるよう構成されている。排水処理モジュール２２Ａ〜２２Ｄの各々は、第１接手２１１と第２接手２１２との間の距離が一定に設けられており、第１接手２１１と第３接手２１３との間の距離が一定に設けられており、かつ第２接手２１２と第３接手２１３との間の距離が一定に設けられている。好ましくは、排水処理モジュール２２Ａ，２２Ｂ，２２Ｄの各々は、第１接手２１１と第４接手２１４との間の距離が一定に設けられており、第２接手２１２と第４接手２１４との間の距離が一定に設けられており、かつ第３接手２１３と第４接手２１４との間の距離が一定に設けられている。このように構成された排水処理モジュール２２Ａ〜２２Ｄの各々は、第１接手２１１、第２接手２１２、および第３接手２１３の相対的な位置関係が等しくなるよう構成されているため、より容易に交換され得る。
【００７４】
好ましくは、第１コネクタ、第３〜第５コネクタ、および第７コネクタの各々の端子数は等しい。好ましくは、第２コネクタ、第６コネクタおよび第８コネクタの各々の端子数は等しい。好ましくは、第１コネクタの端子数と第２コネクタの端子数とは異なる。これにより、各コネクタ間で端子間が誤接続されるリスクを低減することができる。
［排水処理モジュールの交換方法］
次に、図２〜図１９を参照して、医療用診察装置１００のスピットンユニット２における、排水処理モジュール２２Ａ〜２２Ｄの交換方法について、排水処理モジュール２２Ａ（第１モジュール）を排水処理モジュール２２Ｂ（第２モジュール）に交換する方法を例に説明する。
【００７５】
まず、上述した構成を有する医療用診察装置１００が準備される。該医療用診察装置１００のスピットンユニット２は、マニホールドモジュール２１、排水処理モジュール２２Ａ、および排水管路ユニット２３を含んでいる。さらに、上述した構成を有する排水処理モジュール２２Ｂが準備される。スピットンユニット２は、例えば図３に示される扉２ｄが閉じられた状態から図４に示される扉２ｄが開かれた状態あるいは図５に示される扉２ｄが取り外された状態とされている。
【００７６】
次に、マニホールドモジュール２１の第５接手２０１、第６接手２０２、および第７接手２０３から、排水処理モジュール２２Ａの第１接手２１１、第２接手２１２、および第３接手２１３を取り外す（工程（Ｓ１０））。さらに、排水管路ユニット２３の第８接手２０４から排水処理モジュール２２Ａの第４接手２１４を取り外す。
【００７７】
次に、マニホールドモジュール２１の第５接手２０１、第６接手２０２、および第７接手２０３に、排水処理モジュール２２Ｂの第１接手２１１、第２接手２１２、および第３接手２１３を接続する（工程（Ｓ２０））。さらに、排水管路ユニット２３の第８接手２０４に排水処理モジュール２２Ｂの第４接手２１４を接続する。
【００７８】
以上により、医療用診察装置１００のスピットンユニット２において、排水処理モジュール２２Ａが排水処理モジュール２２Ｂに交換される。同様の方法により、排水処理モジュール２２Ａは排水処理モジュール２２Ｃ，２２Ｄのいずれかに交換され得るし、排水処理モジュール２２Ｂ〜２２Ｄのいずれかは他の排水処理モジュール２２Ａ〜２２Ｄのいずれかに交換され得る。また、同様の方法により、排水処理モジュール２２Ａ〜２２Ｄのいずれかが同タイプの別の排水処理モジュール２２Ａ〜２２Ｄのいずれかに交換され得る。例えば排水処理モジュール２２Ａは別の排水処理モジュール２２Ａに交換され得る。
【００７９】
このような排水処理モジュールの交換方法によれば、マニホールドモジュール２１の第５接手２０１、第６接手２０２、および第７接手２０３と、排水処理モジュール２２Ａ〜２２Ｄの第１接手、第２接手、および第３接手との各接続箇所は、排水処理モジュール２２Ａ〜２２Ｄのいずれかに依らず、スピットンユニット２においてほぼ同一の場所に設けられている。そのため、上記排水処理モジュールの交換方法によれば、上記各接続箇所へのアクセスが容易であり、排水処理モジュール２２Ａ〜２２Ｄを容易に交換することができる。つまり、上記医療用診察装置１００は、上記排水処理モジュールの交換方法により管路の構成を容易に変更可能である。
【００８０】
なお、上記医療用診察装置１００において、マニホールドモジュール２１の仕切部材２１Ａは、３つの接手を有しているが、これに限られるものでは無い。仕切部材２１Ａは、第２方向に開口する第２管路口として２つ以上の接手を有していればよい。
【００８１】
図２０に示されるように、仕切部材２１Ａは、第２方向に開口する第２管路口としての第５接手２０１、第６接手２０２、第７接手２０３に加え、第４方向に開口する第４管路口としての第８接手２０４を有していてもよい。排水処理モジュール２２Ａ、２２Ｂ，２２Ｄの第４接手２１４は、当該第８接手２０４と着脱可能に設けられていればよい。第４方向は第２方向と交差する方向であってもよい。また、上述のように、第４方向は第２方向と平行であってもよい。このような医療用診察装置は、スピットンユニット２内の管路構成を変更する際に着脱すべき箇所の全てが仕切部材２１Ａ上に設けられていることにより、管路の構成が容易に変更され得る。また、当該医療用診察装置は、マニホールドモジュール２１が排水管路ＤＬおよび吸引管路ＳＬの複数の構成のうち共通化され得る部材の全てを有しており、上述した排水管路ユニット２３が不要である。そのため、当該医療用診察装置は、スピットンユニット２において扉２ｄが開かれた状態において外部からアクセス可能な空間に配置される部材点数を削減することができ、排水処理モジュールの交換作業性が高められている。
【００８２】
本実施の形態に係る医療用診察装置のスピットンユニット２は、１本の吸引管路ＳＬと１本の排水管路ＤＬとを有しているが、これに限られるものでは無い。スピットンユニット２は、１本以上の吸引管路ＳＬまたは排水管路ＤＬを有していればよい。この場合、仕切部材２１Ａは、第２管路口として少なくとも２つの接手を有していればよい。ただし、本実施の形態に係る医療用診察装置は、スピットンユニット２が複数の管路を有している場合に特に好適である。
【００８３】
また、本実施の形態に係る医療用診察装置のスピットンユニット２は、第１管路口を有している限りにおいて、上述した排水処理モジュール２２Ａ〜２２Ｄとは異なる管路構成を有する排水処理モジュールを含んでいてもよい。
【００８４】
また、本実施の形態に係る医療用診察装置のスピットンユニット２は、吸引管路ＳＬおよび排水管路ＤＬに設けられている複数の接手を有しているが、これに限られるものでは無い。スピットンユニット２において実現されるべき複数の管路構成のうち構成変更され得る管路が例えば吸引管路ＳＬのみまたは排水管路ＤＬのみである場合、第１管路口は吸引管路ＳＬのみまたは排水管路ＤＬのみに設けられていてもよい。
【００８５】
今回開示された実施の形態は全ての点で例示であって制限的なものではないと考えられるべきである。本発明の範囲は上記した説明ではなく特許請求の範囲によって示され、特許請求の範囲と均等の意味および範囲内での全ての変更が含まれることが意図される。
【符号の説明】
【００８６】
１  診療用椅子、１ａ  ヘッドレスト、１ｂ  背もたれ、１ｃ  座面シート、１ｄ  足置き台、２  スピットンユニット、２ａ  スピットン鉢、２ｂ  コップ台、２ｃ  給水栓、２ｄ  扉、２ｅ  カバー、４，４ｃ，４ｅ  診療器具、４ａ  バキュームシリンジ、４ｂ  サラエバエジェクター、２１  マニホールドモジュール、２１Ａ  仕切部材、２１Ｂ  ケース、２２Ａ，２２Ｂ，２２Ｃ，２２Ｄ  排水処理モジュール、２３  排水管路ユニット、２４  スイッチングバルブ、２５  気液分離部、２６，２８，３０  シャットオフバルブ、２７，２９  排水トラップ、３１  スピットンバルブ、３２  アマルガム分離部、４０，４１，４２，４３，４４  固定部、１００  医療用診察装置、１０１，１０２，１０３，１０４，１０５，１０６，１０７，１０８，１０９，１１０，１１１，１１２，１１３，１１４，１１５，１１６，１１７，１１８，１１９，１２０，１２１，１２２，１２３，１２４  管路、２０１  第５接手、２０２  第６接手、２０３  第７接手、２０４  第８接手、２１１  第１接手、２１２  第２接手、２１３  第３接手、２１４  第４接手、ＤＬ  排水管路、ＳＬ  吸引管路。
【図１】
2018029896.tif 000003
【図２】
2018029896.tif 000004
【図３】
2018029896.tif 000005
【図４】
2018029896.tif 000006
【図５】
2018029896.tif 000007
【図６】
2018029896.tif 000008
【図７】
2018029896.tif 000009
【図８】
2018029896.tif 000010
【図９】
2018029896.tif 000011
【図１０】
2018029896.tif 000012
【図１１】
2018029896.tif 000013
【図１２】
2018029896.tif 000014
【図１３】
2018029896.tif 000015
【図１４】
2018029896.tif 000016
【図１５】
2018029896.tif 000017
【図１６】
2018029896.tif 000018
【図１７】
2018029896.tif 000019
【図１８】
2018029896.tif 000020
【図１９】
2018029896.tif 000021
【図２０】
2018029896.tif 000022